(57)【要約】【課題】水槽の底部の駆動機構部から導出されるリード線を、過度なストレスがかかることなく適切に配置する。【解決手段】実施形態の洗濯機は、上面から見て四角形状をなす外箱と、前記外箱内に弾性吊持機構を介して設けられた水槽と、前記水槽の下部に設けられ洗濯機モータを含んで構成される駆動機構部と、前記駆動機構部から引出され、前記外箱側に設けられた回路部に電気的に接続されるリード線とを備え、前記駆動機構部から引出されたリード線は、前記外箱内の一つのコーナー部分に設けられた外箱側固定部に保持された上で前記回路部へ延びるように構成され、前記駆動機構部のリード線引出部は、前記水槽の前記コーナー部分に対向する位置に設けられ、前記リード線は、該リード線引出部と前記外箱側固定部との間で水平方向の屈曲部がない状態で配置されている。【選択図】図３
2019209190.tif 000002
【特許請求の範囲】
【請求項１】
上面から見て四角形状をなす外箱と、
前記外箱内に弾性吊持機構を介して設けられた水槽と、
前記水槽の下部に設けられ洗濯機モータを含んで構成される駆動機構部と、
前記駆動機構部から引出され、前記外箱側に設けられた回路部に電気的に接続されるリード線とを備え、
前記駆動機構部から引出されたリード線は、前記外箱内の一つのコーナー部分に設けられた外箱側固定部に保持された上で前記回路部へ延びるように構成され、
前記駆動機構部のリード線引出部は、前記水槽の前記コーナー部分に対向する位置に設けられ、前記リード線は、該リード線引出部と前記外箱側固定部との間で水平方向の屈曲部がない状態で配置され、
前記リード線は、前記リード線引出部から引出されて下方に垂れ下がった後、Ｕ字状をなすように上方に延びて前記外箱側固定部に至るように設けられ、
前記リード線の最下点と前記リード線引出部との間の高さ方向の距離よりも、前記リード線の最下点と前記外箱側固定部との間の高さ方向の距離の方が大きく構成され、
前記外箱側固定部は、前記弾性吊持機構の下端より下方に位置していることを特徴とする洗濯機。
【請求項２】
上面から見て四角形状をなす外箱と、
前記外箱内に弾性吊持機構を介して設けられた水槽と、
前記水槽の下部に設けられ洗濯機モータを含んで構成される駆動機構部と、
前記駆動機構部から引出され、前記外箱側に設けられた回路部に電気的に接続されるリード線とを備え、
前記駆動機構部から引出されたリード線は、前記外箱内の一つのコーナー部分に設けられた外箱側固定部に保持された上で前記回路部へ延びるように構成され、
前記駆動機構部のリード線引出部は、前記水槽の前記コーナー部分に対向する位置に設けられ、前記リード線は、該リード線引出部と前記外箱側固定部との間で水平方向の屈曲部がない状態で配置され、
前記リード線は、前記リード線引出部から引出されて下方に垂れ下がった後、Ｕ字状をなすように上方に延びて前記外箱側固定部に至るように設けられ、
前記リード線の最下点と前記リード線引出部との間の高さ方向の距離よりも、前記リード線の最下点と前記外箱側固定部との間の高さ方向の距離の方が大きく構成され、
前記リード線の垂れ下がった下端部は、前記駆動機構部の下端部よりも下方となることを特徴とする洗濯機。
【請求項３】
前記リード線は、前記水槽内に定格負荷が収容される場合においても、前記リード線の最下点と前記外箱側固定部との間の高さ方向の距離の方が大きくなるように保持される請求項１又は２に記載の洗濯機。
【請求項４】
前記弾性吊持機構は、前記外箱のコーナー部に一端側が支持された吊り棒を有して構成され、
前記リード線引出部と前記外箱側固定部とを直線的につなぐ第２仮想線は、上面から見て、前記吊り棒と交差する又は重なるように配置されていることを特徴とする請求項１から３のいずれか一項に記載の洗濯機。
【請求項５】
前記リード線には、前記リード線引出部から前記外箱側固定部までの間の最下点を除いた少なくとも１個所に、結束部が設けられていることを特徴とする請求項１から４のいずれか一項に記載の洗濯機。
【請求項６】
前記外箱側固定部は、前記リード線を上下方向に延びるように保持することを特徴とする請求項１から５のいずれか一項に記載の洗濯機。
【発明の詳細な説明】
【技術分野】
【０００１】
本発明の実施形態は、洗濯機に関する。
【背景技術】
【０００２】
洗濯機、いわゆる縦軸型の全自動洗濯機は、外箱内に、水槽が弾性吊持機構を介して支持され、水槽内に、回転槽を備えている。回転槽の内底部には、パルセータが設けられている。水槽の外底部には、洗濯機モータやクラッチ機構などを備えた駆動機構部が設けられ、この駆動機構部により、回転槽やパルセータが回転駆動されるようになっている。この種の洗濯機においては、前記駆動機構部（洗濯機モータ）を駆動する回路部を、外箱上部（トップカバー内）に設け、駆動機構部から導出されるリード線を、外箱内面に沿って延びるように配設して回路部に接続することが行われる（例えば特許文献１参照）。
【先行技術文献】
【特許文献】
【０００３】
【特許文献１】特開平９−２８５６８５号公報
【発明の概要】
【発明が解決しようとする課題】
【０００４】
上記のような駆動機構部（洗濯機モータ）を水槽の底部に配設したものでは、運転時に、駆動機構部が水槽と共に揺動（振動）する事情があるため、リード線に対し引張りや屈曲等のストレスがかかり易く、リード線が傷付いたりする虞がある。そのため、リード線の長さに余裕を持たせて、ストレスを発生させないようにしているが、リード線のたわみが大きくなるため、運転時にそのたわみ部分が水槽の外面や外箱の内面等に接触することが起こる。上記特許文献１では、リード線を保護カバーにより保護することが考えられているが、構成が複雑となってコスト高となる等の問題がある。
【０００５】
そこで、水槽の底部の駆動機構部から導出されるリード線を、過度なストレスがかかることなく適切に配置することができる洗濯機を提供する。
【課題を解決するための手段】
【０００６】
実施形態の洗濯機は、上面から見て四角形状をなす外箱と、前記外箱内に弾性吊持機構を介して設けられた水槽と、前記水槽の下部に設けられ洗濯機モータを含んで構成される駆動機構部と、前記駆動機構部から引出され、前記外箱側に設けられた回路部に電気的に接続されるリード線とを備え、前記駆動機構部から引出されたリード線は、前記外箱内の一つのコーナー部分に設けられた外箱側固定部に保持された上で前記回路部へ延びるように構成され、前記駆動機構部のリード線引出部は、前記水槽の前記コーナー部分に対向する位置に設けられ、前記リード線は、該リード線引出部と前記外箱側固定部との間で水平方向の屈曲部がない状態で配置され、前記リード線は、前記リード線引出部から引出されて下方に垂れ下がった後、Ｕ字状をなすように上方に延びて前記外箱側固定部に至るように設けられ、前記リード線の最下点と前記リード線引出部との間の高さ方向の距離よりも、前記リード線の最下点と前記外箱側固定部との間の高さ方向の距離の方が大きく構成され、前記外箱側固定部は、前記弾性吊持機構の下端より下方に位置しているところに特徴を有する。
【図面の簡単な説明】
【０００７】
【図１】第１の実施形態を示すもので、洗濯機の全体構成を概略的に示す縦断右側面図
【図２】水槽、リード線、外箱側固定部、吊り棒の高さ方向の位置関係を示す概略的縦断面図
【図３】外箱、水槽、リード線の上面から見た位置関係を示す概略的平面図
【図４】外箱側固定部部分の構成を概略的に示す斜視図
【図５】第２の実施形態を示す図３相当図
【図６】第３の実施形態を示す図３相当図
【図７】第４の実施形態を示す図３相当図
【発明を実施するための形態】
【０００８】
（１）第１の実施形態
以下、縦軸形の全自動洗濯機に適用した第１の実施形態について、図１から図４を参照しながら説明する。まず、図１は、本実施形態に係る洗濯機（全自動洗濯機）１の構成を概略的に示している。ここで、洗濯機１は、例えば鋼板を衰退として構成され全体として矩形箱状をなす外箱２を備えている。図３に示すように、外箱２は、上面から見て四角形状とされている。この外箱２の底部には、４個の脚部３を有する台板４が設けられている。また、図１に示すように、外箱２の背面板には、矩形状の点検口２ａが設けられ、通常時にはこの点検口２ａは蓋板５により塞がれている。
【０００９】
前記外箱２内には、図２、図３にも示すように、洗濯水を溜める水槽６が、弾性吊持機構７により弾性的に支持（吊り下げ支持）されて設けられている。図１、図２に一部示すように、前記弾性吊持機構７は、例えば前記外箱２の四隅部に設けられた４本の吊り棒７ａ、各吊り棒７ａの下端部に配置されたスプリング７ｂ等を有した周知構成を備えている。前記水槽６の底部には、排水口８が形成されており、この排水口８には、電子制御式の排水弁９を備えた排水路１０が接続されている。
【００１０】
前記水槽６内には、ほぼ有底円筒状をなす縦軸型の回転槽１１が回転可能に設けられている。この回転槽１１の上端部には、例えば液体封入形の回転バランサ１２が取付けられている。また、この回転槽１１の周壁部には、脱水孔１１ａが形成されている。この回転槽１１の内底部には、撹拌体（パルセータ）１３が配設されている。回転槽１１内には、図示しない洗濯物が収容されるようになっており、その洗濯物の洗い、すすぎ、脱水、乾燥が行われる。
【００１１】
前記水槽６の上部には、水槽カバー１４が装着されている。この水槽カバー１４には、ほぼ中央部に洗濯物出し入れ用の開口部１４ａが設けられていると共に、その開口部１４ａを開閉する内蓋１５が取付けられている。水槽カバー１４の上面における後部には、給水用の給水口１６が設けられていると共に、図示はしないが、温風供給装置から供給される温風を水槽６内に供給する温風吹出口等が設けられている。
【００１２】
また、図２、図３にも示すように、前記水槽６の下部（外底部）には、駆動機構部１７が配設されている。詳しい説明は省略するが、図１に一部示すように、この駆動機構部１７は、アウタロータ形のＤＣ三相ブラシレスモータからなる洗濯機モータ、中空の槽軸１８、該槽軸１８を貫通する撹拌軸１９、前記洗濯機モータの回転駆動力をそれら軸１８，１９に選択的に伝達するクラッチ機構等を備えている。前記槽軸１８の上端には、前記回転槽１１が連結されており、前記撹拌軸１９の上端には、前記撹拌体１３が連結されている。
【００１３】
前記クラッチ機構は、前記排水弁９に連動して動作し、洗い時及びすすぎ時（洗い行程）には回転槽１１の固定（停止）状態で、洗濯機モータの駆動力を撹拌軸１９を介して撹拌体１３に伝達して撹拌体１３を低速で直接正逆回転駆動する。また、脱水時（脱水行程）には、槽軸１８と撹拌軸１９との連結状態で、洗濯機モータの駆動力を槽軸１８を介して回転槽１１に伝達し、回転槽１１（及び撹拌体１３）を一方向に高速で直接回転駆動するようになっている。尚、駆動機構部１７には、上記以外にも、排水弁９駆動用のモータ、洗濯機モータの各相の電流を検出する電流センサ、洗濯機モータのロータの回転位置を検出するセンサ、クラッチの位置を検出するセンサ等の電装品が配設されている。
【００１４】
一方、図１に示すように、前記外箱２の上部には薄形の中空箱状をなす合成樹脂製のトップカバー２０が装着されている。このトップカバー２０の上面中央には、前記回転槽１１の上方に位置して、ほぼ円形の洗濯物出入口２０ａが形成され、その洗濯物出入口２０ａを開閉するための二つ折りタイプの蓋２１が設けられている。このトップカバー１０の前部上面部には、ユーザが洗濯運転のコースの選択や、運転開始を指示するための操作パネル２２が設けられている。更に、操作パネル２２の裏面側には、コンピュータを含んで構成され操作パネル２２の操作信号の処理や表示制御などを行う操作ユニット２３が設けられている。
【００１５】
このトップカバー２０の後部には、水槽６内への給水を行うための給水機構２４が設けられている。給水機構２４は、給水弁２５、注水ケース２６と、可撓性を有する給水ホース２７を備えており、給水ホース２７の先端部が前記給水口１６に接続されている。給水弁２５は給水受け口２５ａを備えていて、その給水受け口２５ａには、図示しない水道の蛇口に接続された接続ホースの先端部が接続される。給水弁２５が開放されると、水道から供給される水が、注水ケース２６及び給水ホース２７を介して給水口１６から回転槽１１内及び水槽６内に供給される。尚、トップカバー２０の後部には、水槽６の異常な振動（揺動）を検知する安全レバースイッチ装置２８も設けられている。
【００１６】
そして、本実施形態では、前記トップカバー２０内、例えば操作ユニット２３の下部に位置して、回路部としての電子ユニット３０が設けられている。詳しく図示はしないが、この電子ユニット３０は、薄型のケース内に、電源回路、洗濯機モータ駆動用のインバータ回路、コンピュータを主体として構成され洗濯機１全体を制御する制御装置等を備えて構成されている。このとき、前記駆動機構部１７の側部からは、通電線や信号線等が束になった形態のリード線３１（図２〜図４参照）が引出され、外箱２内面に沿って引き回され、前記電子ユニット３０に電気的に接続されるようになっている。リード線３１の配置（保持構造）については、後に詳述する。
【００１７】
尚、図示はしないが、前記操作ユニット２３も電子ユニット３０に電気的に接続されている。詳しい説明は省略するが、前記電子ユニット３０内の制御装置は、操作パネル２２（操作ユニット２３）からの操作信号や各種センサからの信号に基づいて、給水弁２５や排水弁９を制御すると共に、インバータ回路を介して洗濯機モータを制御し、洗い（すすぎ）行程や脱水行程等からなる洗濯運転を実行する。更には、温風供給装置を制御して乾燥行程を実行するようになっている。
【００１８】
さて、本実施形態における、前記リード線３１の配置構成について、図２から図４を参照して述べる。図２に示すように、前記リード線３１は、前記駆動機構部１７の外周の水槽６底部部分に設けられるリード線引出部３２から引出されて下方に垂れ下がった後、Ｕ字状をなすように上方に向けて延び、外箱２の内壁面に設けられた外箱側固定部３３に保持された上で、上方に延びるように配置されている。
【００１９】
このとき、図３に示すように、前記外箱側固定部３３は、外箱２の背面板のうち、外箱２の一つのコーナーＣ部分、この場合左後のコーナーＣの近傍に位置し、図２に示すように、水槽６の底部よりもやや上方の高さ位置に設けられている。この外箱側固定部３３は、前記リード線３１を外箱２の背面板に沿って上下方向に延びるように保持する。
【００２０】
具体的には、図４に示すように、外箱２の背面板の内面には、左右２個のねじ孔を有する取付部３４が設けられている。その取付部３４の前面にリード線３１を上下に延びるように配置した状態で、中間部が半円状とされた保持金具３５により前方から押えるようにし、保持金具３５の左右両端部をねじ３６により前記取付部３４に固定することにより、リード線３１が保持される。
【００２１】
そして、図３に示すように、前記リード線引出部３２の位置は、上面から見て、前記水槽６の水槽中心Ｏと、前記一つのコーナーＣとを直線でつなぐ第１仮想線Ｌ１に対し、前記水槽中心Ｏを中心として両側に夫々１５°の角度範囲内（図３に便宜上ハッチングを付して示す）に配置されている。更にこのとき、外箱２の上面から見て、それらリード線引出部３２と外箱側固定部３３とを直線的につなぐ第２仮想線Ｌ２が、外箱側固定部３３を有する外箱２の一辺（背面板）の延びる方向（左右方向）に対してなす角度θ１が、３０°〜６０°の角度、この場合約６０°となるように配置されている。
【００２２】
この状態では、図２に示すように、リード線３１の最下点と前記リード線引出部３２との間の高さ方向の距離Ａよりも、前記リード線３１の最下点と前記外箱側固定部３３との間の高さ方向の距離Ｂの方が大きく構成されている。また、外箱側固定部３３の位置は、前記吊り棒７ａの下端よりも下方に位置している。これにて、リード線３１は、リード線引出部３２と外箱側固定部３３との間で、上下方向にはたるみを有しており、水平方向には屈曲部がない状態、このケースでは、上面から見てほぼ直線状態とされている。
【００２３】
尚、図示はしないが、水槽６内に定格負荷が収容されて水槽６が最低の位置まで下がった場合でも、リード線３１は、下方に垂れ下がった状態に保持されるようになっている。またこのとき、リード線３１が水平方向に屈曲部がない状態とは、リード線引出部３２から外箱側固定部３３方向に向く方向に対し、リード線引出部３２の引出し直後にリード線３１が延びる方向が、水平方向に見て（上方から見て）、角度４５°以内にある状態をいう。
【００２４】
更に本実施形態では、前記リード線３１のうち、前記リード線引出部３２から外箱側固定部３３までの間の最下点を除いた少なくとも１個所に、結束部３７が設けられる。この実施形態では、例えば３箇所に位置して結束部３７が設けられている。これら結束部３７は、リード線３１を構成する通電線及び信号線等が束になった状態で、バンドやテープ等で縛られることにより設けられている。
【００２５】
次に、上記構成の作用、効果について述べる。上記構成においては、水槽６内の負荷（洗濯物や洗濯水の量）に応じて駆動機構部１７が上下に変位すると共に、洗濯運転時に水槽６と共に上下或いは横方向に振動するため、それに伴い、リード線３１に対し、引張りや屈曲などのストレスがかかる虞がある。ところが、本実施形態では、リード線３１のリード線引出部３２から外箱側固定部３３までの間の部分が、たわんだ（ゆるく垂れ下がった）状態とされることにより、リード線３１に対して作用する引張りや屈曲等のストレスを抑えることができる。
【００２６】
そして、リード線３１のたわみ部分が、外箱２や水槽６等の他の部分に接触する（当たる）ことがあると、リード線３１が擦れて傷付いたり異音が発生したりすることが考えられる。ここで、もし、駆動機構部１７のリード線引出部３２が、外箱２の上面から見た辺の中央寄り部分に位置していると、リード線３１が、水槽６と外箱２とに挟まれた狭い部分を通ることになり、それらに接触しやすくなる。
【００２７】
これに対し、本実施形態では、駆動機構部１７のリード線引出部３２が、上面から見て、水槽６の水槽中心Ｏと、外箱２の一つのコーナーＣとを直線でつなぐ第１仮想線Ｌ０に対し、水槽中心Ｏを中心として両側に夫々１５°の角度範囲内に配置されている。これにより、リード線３１を外箱２のコーナーＣ近傍の比較的広いスペースに配置することができ、水槽６や外箱２に接触することを効果的に防止することができるのである。
【００２８】
さらに、外箱側固定部３３についても、外箱２の上面から見て、辺の中央寄りに位置することは、リード線３１が狭いスペースに配置されることから、好ましくない。本実施形態では、上記したリード線引出部３２の位置に対し、外箱２の一辺に設けられる外箱側固定部３３についても、第２仮想線Ｌ２が一辺の延びる方向に対し、約６０°の角度θ１をなすように設けられている。これにより、リード線３１を外箱２のコーナーＣ部分の広いスペースに配置することができ、水槽６や外箱２に接触することを効果的に防止することができる。本発明者等の研究によれば、第２仮想線Ｌ２が３０°〜６０°の角度をなすように設けることが望ましいことが確認されている。
【００２９】
また、リード線３１の最下点と前記リード線引出部３２との間の高さ方向の距離Ａよりも、前記リード線３１の最下点と前記外箱側固定部３３との間の高さ方向の距離Ｂの方が大きくなるように構成した。このとき、リード線３１のストレスを抑える観点から、リード線３１を十分なたわみを有した状態に設けることが望ましいが、リード線引出部３２は、外箱２の底部（台板４）に対し十分に上方に位置させることができないので、リード線３１の最下点とリード線引出部３２との間の高さ方向の距離Ａを、さほど大きくすることはできない。これに対し、リード線３１の最下点と外箱側固定部３３との間の高さ方向の距離Ｂを大きくすることにより、リード線３１の十分なたるみを確保することができ、ストレスの抑制に効果的となる。
【００３０】
本実施形態では、リード線３１のリード線引出部３２から外箱側固定部３３までの間の最下点を除いた位置に、結束部３７を設けるようにした。リード線３１の適宜な位置に結束部３７を設けることにより、リード線３１を構成する複数の線が分離状に広がって他の部材などに接触することを防止することができる。このとき、リード線３１の最下部に結束部３７を設けると、その最下部がいわばリンクの節になってストレスが掛かる虞があるが、結束部３７は最下点を除いた位置とされているので、そのようなストレスを防止することができる。
【００３１】
本実施形態では、外箱側固定部３３を、リード線３１を上下方向に延びるように保持する構成としたので、外箱側固定部３３部分において、リード線３１にストレスがかかることなく保持することができる。リード線３１は、リード線引出部３２と外箱側固定部３３との間で、上下方向にはたるみを有しており、水平方向には非屈曲状態とされている。もしリード線３１が水平方向に屈曲状態、つまり上面から見てＳ字状や、くの字状であると、その分、水槽６や外箱２に接触しやすくなるが、リード線３１を、水平方向に非屈曲状態とすることにより、水槽６や外箱２に接触しにくい状態で配置することができる。
【００３２】
このように本実施形態によれば、駆動機構部１７のリード線引出部３２から引出されたリード線３１の、外箱２内の下部側における所定の配置を得るように構成した。これにより、リード線３１に対するストレスを抑制しつつ、リード線３１のたわみ部分が、水槽６や外箱２に接触することを極力防止することができ、リード線３１を適切に配置することができるという優れた効果を奏する。
【００３３】
（２）第２〜第４の実施形態、その他の実施形態
図５〜図７は、順に第２〜第４の実施形態を示すものである。これら第２〜第４の実施形態では、駆動機構部１７から引出されるリード線３１の、水槽６底部のリード線引出部（及び外箱側固定部）の位置が、上記第１の実施形態とは異なっている。上記第１の実施形態と共通する部分については、同一符号を付して詳しい説明を省略し、以下、上記第１の実施形態（図３の構成）と異なる点について述べる。
【００３４】
図５は、第２の実施形態を示している。この第２の実施形態においては、駆動機構部１７からリード線３１が引出されるリード線引出部４１は、やはり、上面から見て、前記水槽６の水槽中心Ｏと、外箱２の一つ（左後）のコーナーＣとを直線でつなぐ第１仮想線Ｌ１に対し、水槽中心Ｏを中心として両側に夫々１５°の角度範囲内（図５に便宜上ハッチングを付して示す）に配置されている。
【００３５】
一方、外箱２の背面板には、外箱側固定部４２が、左後部のコーナーＣの近傍に位置して設けられている。詳しく図示はしないが、この外箱側固定部４２は、水槽６内が無負荷状態のリード線引出部４１よりも上方に位置して設けられ、リード線３１を上下方向に延びるように保持する。また、リード線３１は、リード線引出部４１と外箱側固定部４２との間で、上下方向にはたるみを有しており、水平方向には屈曲部のない状態とされている。
【００３６】
このとき、外箱２の上面から見て、それらリード線引出部４１と外箱側固定部４２とを直線的につなぐ第２仮想線Ｌ２は、外箱側固定部４２を有する外箱２の一辺（背面板）の延びる方向に対してなす角度θ２が、３０°〜６０°の角度、この場合約６０°となるように配置されている。更にこのとき、前記第２仮想線Ｌ２は、上面から見て、吊り棒７ａと交差するように配置されている。尚、吊り棒７ａは、リード線３１よりも上方に離間して位置されている。
【００３７】
このような第２の実施形態によれば、上記第１の実施例と同様に、リード線３１に対するストレスを抑制しつつ、リード線３１のたわみ部分が、水槽６や外箱２に接触することを極力防止することができ、リード線３１を適切に配置することができるという優れた効果を奏する。そして、第２仮想線Ｌ２が、上面から見て、吊り棒７ａと交差する（又は重なる）ように配置されていることは、リード線３１が水槽６と外箱２のコーナーＣ部分との間の広いスペースに配置されていることであり、リード線３１の水槽６や外箱２に対する接触防止の効果に優れたものとなる。リード線３１が、吊り棒７ａに接触することがないことは勿論である。
【００３８】
尚、第２仮想線Ｌ２が、上面から見て、吊り棒７ａと重なるように配置するようにしても良く、上記第２の実施形態と同様の作用、効果を得ることができる。
【００３９】
図６は、第３の実施形態を示している。この第３の実施形態では、リード線引出部５１は、上面から見て、水槽６の水槽中心Ｏと、外箱２の左後のコーナーＣとを直線でつなぐ第１仮想線Ｌ１に対し、水槽中心Ｏを中心として両側に夫々１５°の角度範囲内（便宜上ハッチングを付して示す）のうち、その範囲の端部、つまり第１仮想線Ｌ１から時計回り方向にほぼ１５°の位置に配置されている。
【００４０】
一方、外箱２の背面板のコーナーＣの近傍に位置して、外箱側固定部５２が設けられている。このとき、外箱２の上面から見て、それらリード線引出部５１と外箱側固定部５２とを直線的につなぐ第２仮想線Ｌ２は、外箱側固定部５２を有する外箱２の一辺（背面板）の延びる方向に対してなす角度θ３が、３０°〜６０°の角度、この場合約４５°となるように配置されている。
【００４１】
図７は、第４の実施形態を示している。この第４の実施形態では、リード線引出部７１は、上面から見て、第１仮想線Ｌ１に対し水槽中心Ｏを中心として両側に夫々１５°の角度範囲内（便宜上ハッチングを付して示す）に設けられている。これに対し、外箱側固定部７２は、外箱２の左側面板のうち、左後のコーナーＣの近傍部分に設けられる。この場合も、外箱２の上面から見て、それらリード線引出部７１と外箱側固定部７２とを直線的につなぐ第２仮想線Ｌ２は、外箱側固定部７２を有する外箱２の一辺（左側面板）の延びる方向（前後方向）に対してなす角度θ５が、３０°〜６０°の角度、この場合約４５°となるように配置されている。
【００４２】
以上のような第３〜第４の実施形態によっても、リード線引出部５１，７１及び外箱側固定部５２，７２の配置により、上記第１の実施例と同様に、リード線３１に対するストレスを抑制しつつ、リード線３１のたわみ部分が、水槽６や外箱２に接触することを極力防止することができ、リード線３１を適切に配置することができるという優れた効果を得ることができる。
【００４３】
尚、上記各実施形態では、リード線３１を外箱２のうち、左後部のコーナーＣ部分に沿って上下方向に延びるように配置する構成としたが、外箱のうちの右後部のコーナー部や前部の左右のコーナー部にリード線を配置する構成であっても良い。リード線３１を外箱２に保持する構成として、外箱側固定部のみを説明したが、外箱側固定部よりもさらに上方に位置して、同様のリード線３１の保持部を、外箱内やトップカバー内の複数個所に設けるようにしても良い。また、上記実施形態では、リード線３１が接続される電子ユニット３０を、トップカバー２０内に設けるようにしたが、外箱２内部（背面板の内面の点検口の近傍等）に設ける構成であっても良い。
【００４４】
更には、上記実施形態では、水槽６の外底部に洗濯機モータや伝達機構を一体化した駆動機構部１７を設けるようにしたが、そのような駆動機構部に代えて、減速機構部と洗濯機モータとを別体に並べて設けて、洗濯機モータの駆動力をベルト伝達機構によって減速機構部に伝達する構成であっても良く、駆動機構部の形状や構造についても種々の変更が可能である、その他、洗濯機全体の具体的構成や、リード線引出部及び外箱側固定部の位置や保持形態、結束部を設ける位置や個数等についても、様々な変形が可能であるなど、要旨を逸脱しない範囲内で適宜変更して実施し得るものである。
【００４５】
本明細書では、特許請求の範囲に記載された構成に加えて、次の構成１〜構成３が記載されている。
（構成１）
前記駆動機構部のリード線引出部は、上面から見て、前記水槽の水槽中心と、前記一つのコーナーとを直線でつなぐ第１仮想線に対し、前記水槽中心を中心として両側に夫々１５°の角度範囲内に配置されている構成。
（構成２）
前記駆動機構部は、水槽の外底部に設けられ洗濯機モータや伝達機構を一体化した駆動機構部である構成。
（構成３）
前記リード線引出部及び前記外箱側固定部は、前記外箱の上面から見て、それらリード線引出部と外箱側固定部とを直線的につなぐ第２仮想線が、前記外箱側固定部を有する外箱の一辺の延びる方向に対し、３０°〜６０°の角度をなすように配置されている構成。
【符号の説明】
【００４６】
図面中、１は洗濯機、２は外箱、６は水槽、７は弾性吊持機構、７ａは吊り棒、１７は駆動機構部、３０は電子ユニット、３１はリード線、３２，４１，５１，７１はリード線引出部、３３，４２，５２，７２は外箱側固定部、３７は結束部、Ｃはコーナー、Ｏは水槽中心、Ｌ１は第１仮想線、Ｌ２は第２仮想線を示す。
【図１】
2019209190.tif 000003
【図２】
2019209190.tif 000004
【図３】
2019209190.tif 000005
【図４】
2019209190.tif 000006
【図５】
2019209190.tif 000007
【図６】
2019209190.tif 000008
【図７】
2019209190.tif 000009